(57)【特許請求の範囲】
【請求項１】
クロック、ハンドセット及びクロック訂正手段を有する少なくとも１つの基地局からなるコードレス電話機であって、該クロック訂正手段は、
−前記クロックの損失を発見する基地局の手段と、
−クロック回復情報を生成する少なくとも１つのハンドセットの手段と、
−基地局に該回復情報を送信するハンドセットの手段とからなることを特徴とするコードレス電話機。
【請求項２】
請求項１に記載のコードレス電話機において、
−前記基地局は前記クロックの不揮発性バックアップメモリからなり、
−前記回復情報生成手段は、クロックの損失の発見と回復情報の送信の間に経過した時間を計算する計算手段からなることを特徴とするコードレス電話機。
【請求項３】
請求項２に記載のコードレス電話機において、
−クロックの損失を発見する手段は基地局とハンドセットの同期の損失を発見する手段からなり、
−送信手段は基地局とハンドセットの再同期を発見する手段により制御されることを特徴とするコードレス電話機。
【請求項４】
請求項１に記載のコードレス電話機において、
ハンドセットは、前記回復情報を供給するために、基地局のクロックに従属するクロックを有することを特徴とするコードレス電話機。
【請求項５】
請求項４に記載のコードレス電話機において、
ハンドセットは、前記従属するクロックの損失を発見するための手段と、マスタークロックと呼ばれるクロックをハンドセットに送ることを基地局に要求する手段とからなることを特徴とするコードレス電話機。
【請求項６】
請求項５に記載のコードレス電話機において、
クロックの損失を発見する手段は、基地局とハンドセットの再同期を発見する手段からなることを特徴とするコードレス電話機。
【請求項７】
請求項１に記載のコードレス電話機に使用されるハンドセット。
【請求項８】
請求項１に記載のコードレス電話機に使用される基地局。
【請求項９】
クロック及びハンドセットを有する少なくとも１つの基地局からなるコードレス電話機においてクロックを管理する方法であって、
−基地局により前記クロックの損失を発見し、
−少なくとも１つのハンドセットで前記クロック回復情報を生成し、
−ハンドセットにより該回復情報を基地局に送信することからなることを特徴とする方法。
【発明の詳細な説明】
【０００１】
【発明の属する技術分野】
本発明は、クロック、ハンドセット及びクロック訂正手段を有する少なくとも１つの基地局からなるコードレス電話機に関する。
また、本発明は、基地局及びそのような電話機に使用されるハンドセットに関する。
【０００２】
また、本発明は、コードレス電話機のためのクロックを管理する方法に関する。
本発明には重要なアプリケーションがあり、特に、基地局が受信メッセージの日時記録を行なう応答装置の機能を有するコードレス電話機に重要なアプリケーションがある。そのようなアプリケーションのために、基地局にカレンダーを有することが必要である。
【０００３】
【従来の技術】
日本国公開特許Ａ−０６  １２０  ８８１の要約書には、クロック回路を含む基地局及びハンドセットを有するコードレス電話機が記載されている。基地局のクロックは、基地局を電話線に接続する電話スイッチにおけるクロック生成回路により制御される。そして、クロック訂正手段が、基地局のクロックに基いてハンドセットのクロックを訂正するために設けられている。
【０００４】
【発明が解決しようとする課題】
本発明の目的は、自律的でシンプル及び経済的なタイムシステムを有するコードレス電話機を提案することである。
【０００５】
【課題を解決するための手段】
上記目的のために、本発明の電話機は、最初に述べたように、上記クロック訂正手段が、
−前記クロックの損失を見つける基地局の手段と、
−クロック回復情報を生成する少なくとも１つのハンドセットの手段と、
−上記クロック回復情報を基地局に送信するハンドセットの手段とからなることを特徴とする。
【０００６】
本発明はそれゆえ、ハンドセットは電力断の場合において大きな自律性を与える電力供給バッテリを有するという事実を利用する。基地局が、例えば電力断の後に、その時間を失った時、回復情報がハンドセットにより送信され得る。それゆえに本発明により、特に電力断においてクロックを計算し続けるための特定の自律的バックアップ及び計数エレメントを基地局内で使用することなしで済ませることが可能となる。
【０００７】
本発明の第１の実施形態によれば、上記基地局は不揮発性バックアップメモリからなり、上記回復情報生成手段は、クロック損失の発見と回復情報の送信との間に経過した時間を計算するための計算手段からなる。
本発明の第２の実施形態によれば、ハンドセットは上記回復情報を伝達するために、基地局のクロックに従属するクロックを有する。
【０００８】
この実施形態において、ハンドセットのクロックは、通常、基地局により更新される。それゆえ、この実施形態により、定期的にシステムクロックをバックアップするための不揮発性メモリを使用しないことを可能とする。不揮発性メモリを使用することは実際に次の欠点を有している。ハンドセットによる電力断の期間の計数は、基地局でのクロックの最後のバックアップと電力断の開始間の遅延と等しいエラーを含む。これを直すために、クロックバックアップのレートは（数秒のオーダーで）増加されなければならない。不揮発性メモリが書き込まれる回数は制限され、そのことにより、ある期間の後（数年）にはクロックシステムはもはや正確でなくなってしまう。
【０００９】
最後に、本発明によるクロック管理方法は、最初に述べたように、
−基地局により上記クロック損失を見つけ、
−少なくとも１つのハンドセットにおいて上記クロックの回復情報を生成し、
−ハンドセットにより上記回復情報を基地局に送信する
ことからなることを特徴とする。
【００１０】
【発明の実施の形態】
本発明のこれらの側面及び他の側面は、以下で説明する実施形態を参照して説明され、明らかとなる。
図１に示されるコードレス電話機はＤＥＣＴ標準に適合する電話機である。参照符号１は１つ又はいくつかのハンドセット２、３…が無線により接続された基地局を示す。この基地局１は特に、電話回線１２を介して交換回路に基地局を接続させる回線回路１０と、アンテナ１６を介して電波を送信及び受信することにより種々のハンドセット２、３…との会話を許可する無線回路１４からなる。回路１０及び１４は、信号プロセッサＤＳＰに形成された信号処理回路１５を介して接続される。基地局１の全てのこれらの要素は、通常は、特にランダムアクセスメモリ２４、電話機の動作命令を含むリードオンリーメモリ２６とタイムベース２９を含む管理プロセッサ２８により形成されるマイクロプロセッサアセンブリ２０により管理される。
【００１１】
本発明の第１の実施形態において、マイクロプロセッサアセンブリ２０は更に不揮発性メモリ２７、例えば、フラッシュメモリ又はＥＥＰＲＯＭメモリを含む。
ハンドセット３、…は同一の構造を持ち得るので、ハンドセット２のみが図１に詳細に示されている。これは、基地局１との通信を可能とするアンテナ４１を有するコミュニケーションアセンブリ４０からなる。このアセンブリはマイク４２から来る情報を処理し、また、イヤホン４４のための信号を生成する。ハンドセット２はまたいくつかの情報を表示し得るためのディスプレイ６０、キーボード６１及び電力供給バッテリ６３を含む。管理エレメント７０も含まれる。アセンブリ２０と同様に、これは、ランダムアクセスメモリ７４、動作命令を含むリードオンリーメモリ７６とタイムベース７１を含む管理プロセッサ７８により形成される。
【００１２】
本発明の第１の実施形態において、クロック回復情報は、基地局がその時間を失ったことをハンドセット２、３…が発見した時に、ハンドセット２、３…により基地局１に送信される。ちょうど説明された例において、そのような損失は、基地局とハンドセットに同期はずれがある時に発見される。実際、（基地局がその時間を更新することを阻止し、それゆえ、この時間損失を引き起こす）電力損失は、基地局とハンドセットの同期はずれの原因の一つである。この条件の選択は、ハンドセットから基地局への回復情報の望ましくない送信の制限を最大にすることを可能にする。
【００１３】
図２は、クロック管理に関するハンドセットの動作を示す図である。
ハンドセットが基地局との同期を失う時（ボックス１０１）、それは、これがもう供給されず、それゆえ、そのタイミングを失うリスクがあることを知る。ハンドセットは基地局のためにこの情報を更新することを保つ。すなわち、ボックス１０２において、（回復情報と呼ばれる）変数Ｘ２を初期化し、ボックス１０３において、経過する時間Ｔの計数を開始する。基地局とハンドセットの同期が再生されないにもかかわらず、変数Ｘ２は定期的に、例えば２秒毎に、更新される（これはボックス１０４において矢印ｔにより表される）。基地局／ハンドセットの同期が再生される時（ボックス１０５）、ハンドセットはボックス１０６において基地局へリンク（固有（proprietary)リンクと呼ばれる）を設定する。この固有リンクにより、それは基地局に回復情報Ｘ２を送信する（ボックス１０７）。そして、ボックス１０８において、計数を止める。ボックス１０９において動作が終了する。
【００１４】
図３はクロック管理に関する基地局の動作を示す図である。
ボックス２００において基地局はスイッチオフされている。ボックス２０１においてスイッチオンされる。ボックス２０２において基地局は種々の初期化操作を実行する。特に、基地局のクロックを設定する必要性を示す変数Ｘ１の初期化を行なう。そして、ボックス２０３において、基地局はスタンバイモードになる。
【００１５】
固有リンクが設定されると（ボックス２０４）、基地局はこのリンクの特性をテストする（ボックス２０５）。それがクロック管理用のリンクの場合（図における枝Ｙ１）、基地局は変数Ｘ１をテストする（ボックス２０６）。そして、変数Ｘ１の内容が１に等しい（図における枝Ｙ２）場合には、ハンドセットが固有リンクにより基地局に送信した回復情報Ｘ２に基いて、不揮発性メモリ２７に記憶されているクロックＣＬＫを更新する（ボックス２０７）。そして、ボックス２０８において、基地局は変数Ｘ１に０を設定する。
【００１６】
ユーザが手により基地局の時間を設定した時（ボックス２１０）、基地局は不揮発性メモリ２７に記憶されたクロックＣＬＫを更新する（ボックス２１１）。
ボックス２０８及び２１１の終わりに、及びボックス２０５と２０６でなされるテストが否（枝Ｎ１とＮ２）である時に、ボックス２０３で動作が再開される。すなわち、その時、基地局は再びスタンバイモードに入る。
【００１７】
基地局のクロックは、プロセッサ２８のタイムベース２９により更新されて保たれる。このクロックは定期的に不揮発性メモリ２７においてバックアップされる。不揮発性メモリの内容は電源断の時に消去されず、その結果、カレンダーをリストアするために、ハンドセットのうちの１つにより送信された変数Ｘ２の内容を加えることで十分である。
【００１８】
本発明の第２の実施形態により、不揮発性メモリの使用をしないことが可能となる。それゆえ、ハンドセット及び基地局の両方は、クロックをバックアップするためのシンプルなメモリと、及び毎日その情報をバックアップする計数手段を有する。ハンドセットがクロックを失った時、基地局はクロックをそこに送り、また、その逆も同様である。この実施形態において、回復情報はクロック自身により形成される。
【００１９】
図４は、第２の実施形態におけるクロック管理に関してのハンドセットの動作を示す図である。
ボックス３００において、ハンドセットは基地局とハンドセットの再同期を見つける。ボックス３０１において、それは基地局へリンク（固有リンクと呼ばれる）を設定する。この固有リンクにより、ボックス３０２において、基地局へクロックの要求（ＭＥＳ１）を送信する。基地局からの応答を受信すると、ハンドセットはこの応答の種類をテストする。ボックス３０３において、基地局からの応答がクロック要求（ＲＥＳ１）かどうかをテストする。そのような場合、ボックス３０４において、ハンドセットはそれ自身のクロック（ＭＥＳ２）を前に設定した固有リンクにより基地局に送信する。そうでない場合、ボックス３０５において、基地局からの応答が回復情報を含むメッセージ（ＲＥＳ２）かどうかをテストする。ＲＥＳ２の場合、ボックス３０６において、受信した回復情報ＣＬＫｂに基いてそれ自身のクロックＣＬＫｃを更新する。ボックス３０４、３０５及び３０６の後に、ボックス３０７において、動作は停止する。
【００２０】
図５は、この第２の実施形態におけるクロック管理に関しての基地局の動作を示す図である。
ボックス４００において、基地局はスイッチオフである。ボックス４０１において、スイッチオンされる。ボックス４０２において、基地局は種々の初期化動作を行ない、特に、基地局の時間を設定する必要性を示す変数Ｘ１の初期化を行なう。そして、ボックス４０３において、基地局はスタンバイモードになる。
【００２１】
固有リンクが設定される（ボックス４０４）時、基地局はこのリンクのタイプをテストする（ボックス４０５）。これがクロック管理用のリンクの場合（図における枝Ｙ１）、基地局は、ボックス４０６において、変数Ｘ１をテストする（そうでない場合、動作はボックス４０３から再開される）。
変数Ｘ１の内容が１に等しい場合（図における枝Ｙ２）、この固有リンクを介してハンドセットから来るメッセージを受信すると、基地局はこのメッセージのタイプをテストする（ボックス４０７）。これがタイミングを要求するメッセージ（ＭＥＳ１）の場合、ハンドセットにタイミングを要求するメッセージ（ＲＥＳ１）を送り返し（ボックス４０８）、回復情報を含むメッセージ（ＭＥＳ２）を受信するスタンバイモードに行く。基地局がこのメッセージ（ボックス４０９）を受信すると、受信した回復情報ＣＬＫｃに基きそのクロックＣＬＫｂを更新し、その後、変数Ｘ１を０にリセットする（ボックス４１０）。そうでない場合、動作はボックス４０３から再開される。
【００２２】
変数Ｘ１の内容が０に等しい場合（図における枝Ｎ２）、ハンドセットから来る、タイミングを要求するメッセージ（ＭＥＳ１）を受信する時、基地局はそれ自身のクロックにより形成された回復情報を含むメッセージ（ＲＥＳ２）をハンドセットに返す（ボックス４１１）。
ユーザが手により基地局のクロックを設定した時は（ボックス４２０）、基地局はそのクロックＣＬＫｂを更新し、変数Ｘ１を０に設定し、新しい時間を、例えばクロック放送固有リンクを設定することにより、全てのハンドセットに放送する（ボックス４２１）。
【００２３】
ボックス４１０、４１１及び４２１の後、及びボックス４０５と４０７で実行されるテストが否である時、動作はボックス４０３から再開される。すなわち、基地局は再びスタンバイモードに行く。
ＤＥＣＴ標準に準拠して、及び、同一の技術をとることにより、例えば次の方法により固有リンクが設定される。
【００２４】
−ハンドセットは、中の情報要素＜＜ＢＡＳＩＣ−ＳＥＲＶＩＣＥ＞＞が”サービス呼設定”を示すメッセージ｛ＣＣ−ＳＥＴＵＰ｝を基地局に送信する（その標準のパート５のパラグラフ９．３．３．１ケースＤ、６．３．２．１及び７．６．４を参照することにより詳細情報が得られる）。
−基地局はメッセージ｛ＣＣ−ＳＥＴＵＰ−ＡＣＫ｝（標準のパート５のパラグラフ６．３．２．３）を送り返すことにより応答する。
【００２５】
−固有リンクがハンドセットと基地局間で確立され、メッセージ｛ＣＣ−ＩＮＦＯ｝がそれらの間で交換され得る。これらのメッセージは、例えば、リンクのタイプ（例えばクロック管理リンク又はクロック放送リンク）を示す第１のレファレンスと、メッセージのタイプ（タイミングを要求するメッセージＭＥＳ１及びＲＥＳ１、又は回復情報を送信するためのメッセージＭＥＳ２及びＲＥＳ２）を示す第２のレファレンス、及び、メッセージ自身、例えば第１の実施形態において及びメッセージＭＥＳ２及びＲＥＳ２（標準のパート５のパラグラフ６．３．２．２）においての回復情報、を含むデータフィールドを含む。
【００２６】
ＤＥＣＴ標準のフレームワークの中で、同期の損失及び再同期は、例えば次の方法で発見される。ＤＥＣＴ標準のパート３のパラグラフ１１．３．２において、ハンドセットが基地局のカバーエリア内に位置する時にそのハンドセットがとり得る最も中立の状態である”Idle-Locked ”状態が説明されている。この状態の目的は、基地局及びハンドセットの同期を維持することである。ここで、”Idle-Locked ”状態からはずれることは同期を失うことと対応し、”Idle-Locked ”状態に入る時は、これは再同期に対応すると考えられる。
【００２７】
本発明はＤＥＣＴ標準（ＥＴＳＩにより定められた標準ＥＴＳ３００  １７５）のフレームワーク内で説明されたが、他のコードレス電話システムに適応可能であることは明らかである。
【図面の簡単な説明】
【図１】本発明による電話機の例を示すブロック図である。
【図２】本発明の第１の実施形態におけるクロック管理に関しての本発明によるハンドセットの動作を示す図である。
【図３】本発明の第１の実施形態におけるクロック管理に関しての本発明による基地局の動作を示す図である。
【図４】本発明の第２の実施形態におけるクロック管理に関しての本発明によるハンドセットの動作を示す図である。
【図５】本発明の第２の実施形態におけるクロック管理に関しての本発明による基地局の動作を示す図である。
【符号の説明】
１  基地局
２、３  ハンドセット
１０  回線回路
１２  電話回線
１４  無線回路
１５  信号処理回路
１６、４１  アンテナ
２０  マイクロプロセッサアセンブリ
２４、７４  ランダムアクセスメモリ
２７  不揮発性メモリ
２６、７６  リードオンリーメモリ
２９、７１  タイムベース
２８、７８  管理プロセッサ
４０  コミュニケーションアセンブリ
４２  マイク
４４  イヤホン
６０  ディスプレイ
６１  キーボード
６３  電力供給バッテリ
７０  管理エレメント
【図１】
0004094142.tif 000002
【図２】
0004094142.tif 000003
【図３】
0004094142.tif 000004
【図４】
0004094142.tif 000005
【図５】
0004094142.tif 000006